(57)【要約】【課題】ダウンロードするアプリケーションプログラムをユーザが選択する際に、アプリケーションプログラムについてのより多くの情報を提供する。【解決手段】コンピュータプログラムは、ダウンロードサーバからネットワークを介してダウンロード可能な複数のアプリケーションプログラムのそれぞれを特定するＩＤを表示する画面を、携帯端末のディスプレイに表示させる機能と、画面にＩＤが表示されるアプリケーションプログラムが携帯端末にインストールされる場合のインストール先を、携帯端末のユーザに通知する機能と、画面にＩＤが表示されるアプリケーションプログラムに対するダウンロードの指示に応じて、ユーザからのさらなる指示を待つことなく、通知されたインストール先への該アプリケーションプログラムのインストールを開始する機能と、を携帯端末に実現させる。【選択図】図１
2014130395.tif 000002
【特許請求の範囲】
【請求項１】
ダウンロードサーバからネットワークを介してダウンロード可能な複数のアプリケーションプログラムのそれぞれを特定するＩＤを表示する画面を、携帯端末のディスプレイに表示させる機能と、
前記画面にＩＤが表示されるアプリケーションプログラムが携帯端末にインストールされる場合のインストール先を、携帯端末のユーザに通知する機能と、
前記画面にＩＤが表示されるアプリケーションプログラムに対するダウンロードの指示に応じて、ユーザからのさらなる指示を待つことなく、通知されたインストール先への該アプリケーションプログラムのインストールを開始する機能と、を携帯端末に実現させることを特徴とするコンピュータプログラム。
【請求項２】
前記通知する機能によって通知されるインストール先は、携帯端末の内部記憶装置またはそれ以外の記憶装置のいずれかであることを特徴とする請求項１に記載のコンピュータプログラム。
【請求項３】
携帯端末の内部記憶装置以外の記憶装置は、携帯端末に着脱可能な記憶装置を含むことを特徴とする請求項２に記載のコンピュータプログラム。
【請求項４】
前記通知する機能によって通知されるインストール先として携帯端末の内部記憶装置およびそれ以外の記憶装置の両方が可能である場合、ユーザにインストール先を選択させる機能をさらに携帯端末に実現させることを特徴とする請求項２または３に記載のコンピュータプログラム。
【発明の詳細な説明】
【技術分野】
【０００１】
本発明は、コンピュータプログラムに関する。
【背景技術】
【０００２】
スマートホンやタブレット用のアプリケーションダウンロードサイトは例えばグーグルプレイ（Google Play、登録商標）やアップルストア（Apple Store、登録商標）や特許文献１等により公知である。
【先行技術文献】
【特許文献】
【０００３】
【特許文献１】特開２０１２−１１９９６５号公報
【発明の概要】
【発明が解決しようとする課題】
【０００４】
スマートホンやタブレット用のアプリケーションプログラムには、ＳＤカードなどの外部記憶装置へのインストールに対応しているものとそうでないものとが存在する。従来のダウンロードサイトでは、アプリケーションプログラムがそのどちらであるかをダウンロード前にユーザが知ることは困難である。その結果、ユーザの意図しない形でのインストールが発生し、せっかくダウンロードしたアプリケーションを削除したり手動でインストール先を変更したりしなければならない状況が発生しうる。
【０００５】
本発明はこうした課題に鑑みてなされたものであり、その目的は、ダウンロードするアプリケーションプログラムをユーザが選択する際に、アプリケーションプログラムについてのより多くの情報を提供できる技術の提供にある。
【課題を解決するための手段】
【０００６】
本発明のある態様はコンピュータプログラムに関する。このコンピュータプログラムは、ダウンロードサーバからネットワークを介してダウンロード可能な複数のアプリケーションプログラムのそれぞれを特定するＩＤを表示する画面を、携帯端末のディスプレイに表示させる機能と、画面にＩＤが表示されるアプリケーションプログラムが携帯端末にインストールされる場合のインストール先を、携帯端末のユーザに通知する機能と、画面にＩＤが表示されるアプリケーションプログラムに対するダウンロードの指示に応じて、ユーザからのさらなる指示を待つことなく、通知されたインストール先への該アプリケーションプログラムのインストールを開始する機能と、を携帯端末に実現させる。
【０００７】
なお、以上の構成要素の任意の組み合わせや、本発明の構成要素や表現を方法、システム、コンピュータプログラム、コンピュータプログラムを格納した記録媒体などの間で相互に置換したものもまた、本発明の態様として有効である。
【図面の簡単な説明】
【０００８】
【図１】携帯端末のタッチパネルに表示されるリスト画面の代表画面図である。
【図２】携帯端末のタッチパネルに表示されるダウンロード確認画面の代表画面図である。
【発明を実施するための形態】
【０００９】
以下、各図面に示される同一または同等の構成要素、部材、処理には、同一の符号を付するものとし、適宜重複した説明は省略する。
【００１０】
実施の形態に係るコンピュータプログラムは、ダウンロードサーバからインターネットなどのネットワークを介して携帯電話などの携帯端末に送信され、その携帯端末によって実行されるコンピュータプログラムである。携帯端末はいわゆるスマートホンなどであってもよく、タッチパネル、通話機能およびデータ通信機能を有し、ウェブブラウザを有していてもよい。携帯端末は本実施の形態に係るコンピュータプログラムを実行することにより各種機能を実現する。
【００１１】
他の実施の形態に係るコンピュータプログラムは、サーバから携帯端末のウェブブラウザにネットワークを介して送信され、そのウェブブラウザによって実行される、ＨＴＭＬ（HyperText Markup Language）などのプログラミング言語により記述されたコンピュータプログラムである。
【００１２】
ダウンロードサイトの運営者はダウンロードサーバを管理する。ダウンロードサーバは、ネットワークを介して携帯端末からアクセスを受けると、ダウンロードサーバからネットワークを介してダウンロード可能な複数のアプリケーションプログラムを表示するリスト画面を携帯端末のディスプレイ（例えば、タッチパネル）に表示させる。特にダウンロードサーバは、リスト画面を構成するために必要な情報を含むリスト画面表示用情報を生成し、ネットワークを介して携帯端末に送信する。携帯端末は、受信したリスト画面表示用情報を使用してリスト画面をタッチパネルに表示させる。リスト画面表示用情報は例えばＨＴＭＬ（HyperText Markup Language）によりコーディングされていてもよい。本実施の形態に係るコンピュータプログラムはリスト画面表示用情報を含む。
【００１３】
運営者は、アプリ開発者からアプリケーションプログラムをダウンロードサイトに掲載して欲しいという要請を受けると、そのアプリケーションプログラムを所定の掲載基準にしたがって審査する。掲載基準は例えば実際に実行可能なプログラムであるか否かや、サイズ（バイト数）が制限値を超えていないか否か等であってもよい。
【００１４】
運営者は、掲載基準を満たしているアプリケーションプログラムを、リスト画面に含める。運営者は、アプリケーションプログラムが掲載基準を満たしていない場合、その旨をアプリ開発者に通知する。
【００１５】
図１は、携帯端末のタッチパネルに表示されるリスト画面１００の代表画面図である。リスト画面１００は、掲載基準を満たした複数のアプリケーションプログラムの名称のリストを表示する。リスト画面１００は、掲載基準を満たしたアプリケーションプログラムの名称と、その内容と、インストール先と、を対応付けて表示する。
【００１６】
リスト画面１００に名称が表示されるアプリケーションプログラムは、ユーザによって指定されて携帯端末にダウンロードされた後、インストール先で示される記憶装置に自動でインストールされる。インストール先の候補は、携帯端末の内部記憶装置である内部メモリと、外部記憶装置であるＳＤカードと、を含む。ＳＤカードは、携帯端末に着脱可能な記憶装置である。
【００１７】
リスト画面１００は、アプリケーションプログラムが内部メモリのみにインストール可能である場合、すなわちアプリケーションプログラムがＳＤカードへのインストールに対応していない場合、インストール先として「本体」と表示する。リスト画面１００は、アプリケーションプログラムがＳＤカードへのインストールに対応している場合、インストール先として「ＳＤカード」と表示する。このように、携帯端末は、リスト画面１００において、ＳＤカードへのインストールに対応しているアプリケーションプログラムを、そうでないアプリケーションプログラムとは異なる態様で表示させる。
【００１８】
携帯端末のユーザがリスト画面１００に表示されるリストのなかからダウンロードしたいアプリケーションプログラムの名称をタップすると、携帯端末はタップされた名称を含むダウンロード要求情報をネットワークを介してダウンロードサーバに送信する。すなわち、携帯端末は、リスト画面１００においてユーザによる名称の指定を受け付け、指定された名称をダウンロード希望のアプリケーションプログラムの名称としてダウンロードサーバに送信する。
【００１９】
ダウンロードサーバは、ダウンロード要求情報を受信すると、受信されたダウンロード要求情報に含まれる名称によって特定されるアプリケーションプログラムの詳細な情報を表示してダウンロードするか否かを選択させるダウンロード確認画面を、携帯端末のタッチパネルに表示させる。特にダウンロードサーバは、ダウンロード確認画面を構成するために必要な情報を含む確認画面表示用情報を生成し、ネットワークを介して携帯端末に送信する。携帯端末は、受信した確認画面表示用情報を使用してダウンロード確認画面をタッチパネルに表示させる。確認画面表示用情報は例えばＨＴＭＬによりコーディングされていてもよい。本実施の形態に係るコンピュータプログラムは確認画面表示用情報を含む。
【００２０】
図２は、携帯端末のタッチパネルに表示されるダウンロード確認画面１０２の代表画面図である。特に図２のダウンロード確認画面１０２は、図１のリスト画面１００においてユーザが「甲ＳＮＳ」をタップした場合に表示される画面である。ダウンロード確認画面１０２は、ダウンロード対象のアプリケーションプログラムの名称を表示する名称表示領域１０４と、そのアプリケーションプログラムの製造者を表示する製造者表示領域１０６と、インストール先に関する情報を表示するインストール先表示領域１０８と、ダウンロードボタン１１０と、キャンセルボタン１１２と、を有する。
【００２１】
インストール先表示領域１０８は、リスト画面１００においてインストール先が「ＳＤカード」となっているアプリケーションプログラムについて、ユーザがインストール先として内部メモリまたはＳＤカードのいずれかを選択可能な構成を有する。インストール先表示領域１０８は、デフォルトのインストール先がＳＤカードであることを表示しつつ、ラジオボタンによりインストール先の変更を受け付ける。
【００２２】
ユーザがキャンセルボタン１１２をタップすると、携帯端末は再度リスト画面１００をディスプレイに表示させる。ユーザがダウンロードボタン１１０をタップすると、携帯端末はそのタップを、名称表示領域１０４に表示される名称のアプリケーションプログラム（図２では「甲ＳＮＳ」）についてのダウンロードの指示として受け付ける。
【００２３】
携帯端末は、ダウンロードの指示に応じて、名称表示領域１０４に表示される名称のアプリケーションプログラムをダウンロードする。さらに携帯端末は、そのダウンロード後、ユーザからのさらなる指示を待つことなく、インストール先表示領域１０８に表示されたインストール先へのアプリケーションプログラムのインストールを開始する。特に携帯端末は、ダウンロードの指示を受け付けると、ダウンロードの開始を要求するためのダウンロード開始要求情報を生成し、ネットワークを介してダウンロードサーバに送信する。ダウンロードサーバは、ダウンロード開始要求信号を受信すると、名称表示領域１０４に表示される名称のアプリケーションプログラムをネットワークを介して携帯端末に送信する。携帯端末は送信されてくるアプリケーションプログラムを受信する。携帯端末は、アプリケーションプログラムの受信を完了すると、ユーザに問い合わせることなく自動で、インストール先へのインストールを開始する。
【００２４】
本実施の形態に係るコンピュータプログラムによると、ユーザはアプリケーションプログラムをダウンロードする前に、そのインストール先を知ることができる。したがって、自己の携帯端末の記憶装置の状況に応じてダウンロードの可否を判断することができる。
【００２５】
例えば、携帯端末の内部メモリが逼迫している場合、ユーザはインストール先が内部メモリのみとなっているアプリケーションプログラムのダウンロードを避けることができる。これにより、アプリケーションプログラムをダウンロードした後にメモリ残量が足りずインストール不可であることが判明するような事態の発生を抑制することができる。
【００２６】
また、同様の機能、例えばＳＮＳ（Social Networking Service）を実現するアプリケーションプログラムが複数リスト画面に表示される場合、ユーザは、ＳＤカードへのインストールに対応している方を選択することで内部メモリを温存することができる。このように、アプリケーションプログラムのインストール先の通知は、ユーザに、ダウンロードの際の比較の基準のひとつを提供する。
【００２７】
以上、実施の形態について説明した。これらの実施の形態は例示であり、それらの各構成要素や各処理の組み合わせにいろいろな変形例が可能なこと、またそうした変形例も本発明の範囲にあることは当業者に理解されるところである。
【図１】
2014130395.tif 000003
【図２】
2014130395.tif 000004
【手続補正書】
【提出日】平成25年3月27日(2013.3.27)
【手続補正１】
【補正対象書類名】特許請求の範囲
【補正対象項目名】全文
【補正方法】変更
【補正の内容】
【特許請求の範囲】
【請求項１】
ダウンロードサーバからネットワークを介してダウンロード可能な複数のアプリケーションプログラムのそれぞれを特定するＩＤを表示する画面を、携帯端末のディスプレイに表示させる機能と、
前記画面にＩＤが表示されるアプリケーションプログラムが携帯端末にインストールされる場合のインストール先を、そのアプリケーションプログラムに対するダウンロードの指示を受け付ける前に、携帯端末のユーザに通知する機能と、
前記指示に応じて、ユーザからのさらなる指示を待つことなく、通知されたインストール先への、ダウンロードされたアプリケーションプログラムのインストールを開始する機能と、を携帯端末に実現させることを特徴とするコンピュータプログラム。
【請求項２】
前記通知する機能によって通知されるインストール先は、携帯端末の内部記憶装置またはそれ以外の記憶装置のいずれかであることを特徴とする請求項１に記載のコンピュータプログラム。
【請求項３】
携帯端末の内部記憶装置以外の記憶装置は、携帯端末に着脱可能な記憶装置を含むことを特徴とする請求項２に記載のコンピュータプログラム。
【請求項４】
前記通知する機能によって通知されるインストール先として携帯端末の内部記憶装置およびそれ以外の記憶装置の両方が可能である場合、ユーザにインストール先を選択させる機能をさらに携帯端末に実現させることを特徴とする請求項２または３に記載のコンピュータプログラム。
【手続補正書】
【提出日】平成25年6月4日(2013.6.4)
【手続補正１】
【補正対象書類名】特許請求の範囲
【補正対象項目名】全文
【補正方法】変更
【補正の内容】
【特許請求の範囲】
【請求項１】
ダウンロードサーバからネットワークを介してダウンロード可能な複数のアプリケーションプログラムのそれぞれを特定するＩＤを表示する画面を、携帯端末のディスプレイに表示させる機能と、
前記画面にＩＤが表示されるアプリケーションプログラムが携帯端末にインストールされる場合のインストール先を、そのアプリケーションプログラムに対するダウンロードの指示を受け付ける前に、携帯端末のユーザに通知する機能と、
前記指示に応じて、ユーザからのさらなる指示を待つことなく、通知されたインストール先への、ダウンロードされたアプリケーションプログラムのインストールを開始する機能と、を携帯端末に実現させ、
前記複数のアプリケーションプログラムは、前記通知する機能によって通知されるインストール先が異なる少なくとも２つのアプリケーションプログラムを含み、
インストール先へインストールされたアプリケーションプログラムはそれ単体で実行可能であることを特徴とするコンピュータプログラム。
【請求項２】
前記通知する機能によって通知されるインストール先は、携帯端末の内部記憶装置またはそれ以外の記憶装置のいずれかであることを特徴とする請求項１に記載のコンピュータプログラム。
【請求項３】
携帯端末の内部記憶装置以外の記憶装置は、携帯端末に着脱可能な記憶装置を含むことを特徴とする請求項２に記載のコンピュータプログラム。
【請求項４】
前記通知する機能によって通知されるインストール先として携帯端末の内部記憶装置およびそれ以外の記憶装置の両方が可能である場合、ユーザにインストール先を選択させる機能をさらに携帯端末に実現させることを特徴とする請求項２または３に記載のコンピュータプログラム。